【手続補正書】
【提出日】平成16年8月27日(2004.8.27)
【手続補正１】
【補正対象書類名】明細書
【補正対象項目名】発明の名称
【補正方法】変更
【補正の内容】
【発明の名称】画像処理方法、画像処理装置、画像処理システム、及びコンピュータ読み取り可能な記憶媒体
【手続補正２】
【補正対象書類名】明細書
【補正対象項目名】特許請求の範囲
【補正方法】変更
【補正の内容】
【特許請求の範囲】
【請求項１】
特定領域にＸ線を照射して、前記特定領域を含む所定範囲の画像データを処理する画像処理方法において、
前記画像データから照射野領域に対応する画像データ領域を抽出する照射野認識工程と、
当該画像データ領域における一辺と前記画像データにおける一辺との角度を検出する検出工程と、
前記角度に基づいて、前記画像データ領域から特徴量を算出する特徴抽出工程とを備えることを特徴とする画像処理方法。
【請求項２】
前記特徴抽出工程は、前記角度に依存して設定される設定領域内から特徴量の算出を行うことを特徴とする請求項１に記載の画像処理方法。
【請求項３】
前記設定領域は、前記角度に依存する所定の方向に基づいて設定されることを特徴とする請求項２に記載の画像処理方法。
【請求項４】
前記特徴抽出工程により得られた特徴量に基づいて、少なくとも前記画像データ領域に対して階調変換処理を施す階調変換工程を備えることを特徴とする請求項１〜３の何れか１項に記載の画像処理方法。
【請求項５】
前記検出工程の検出結果に基づいて、少なくとも前記画像データ領域を回転させる回転工程を備え、
前記抽出工程は、前記回転工程による回転処理後の部分領域から特徴量を抽出することを特徴とする請求項１に記載の画像処理方法。
【請求項６】
前記抽出工程により得られた特徴量に基づいて、前記画像データにおける被写体のカテゴリを判別する判別工程を備えることを特徴とする請求項１〜５の何れか１項に記載の画像処理方法。
【請求項７】
前記画像データにおける被写体のカテゴリは、前記画像データに基づく画像おける被写体の体位を含むことを特徴とする請求項６に記載の画像処理方法。
【請求項８】
前記特徴量は、前記設定領域内の画素値の平均値、中間値又は最頻値等の統計量であることを特徴とする請求項２〜５の何れか１項に記載の画像処理方法。
【請求項９】
前記画像データ領域における一辺は当該画像データの外縁における直線部又は基準線であり、前記画像データにおける一辺は当該画像データにおける外縁における直線部であることを特徴とする請求項２〜５の何れか１項に記載の画像処理方法。
【請求項１０】
Ｘ線を被写体に照射するＸ線発生回路と、
前記被写体を透過したＸ線を電気信号に変換する２次元Ｘ線センサと、
前記電気信号を画像データに変換する処理回路とを備える画像処理装置において、
コンピュータを、
前記画像データから照射野領域に対応する画像領域を抽出する照射野認識手段と、
当該画像領域における一辺と前記画像における一辺との角度を検出する検出手段と、
前記角度に基づいて、前記画像領域から特徴量を算出する特徴抽出手段として機能させるためのコンピュータプログラムを記憶したことを特徴とするコンピュータ読み取り可能な記憶媒体。
【請求項１１】
Ｘ線を被写体に照射するＸ線発生回路と、
前記被写体を透過したＸ線を画像信号に変換する２次元Ｘ線センサと、
前記画像信号を画像データに変換する処理回路と、
前記画像データから照射野領域に対応する画像領域を抽出する照射野認識手段と、
当該画像領域における一辺と前記画像における一辺との角度を検出する検出手段と、
前記角度に基づいて、前記画像領域から特徴量を算出する特徴抽出手段とを備えることを特徴とする画像処理装置。
【請求項１２】
複数の機器が互いに通信可能に接続されてなる画像処理システムであって、
前記複数の機器のうち少なくとも１つの機器は、請求項１〜９の何れか１項に記載の画像処理方法の機能を有することを特徴とする画像処理システム。
【手続補正３】
【補正対象書類名】明細書
【補正対象項目名】０００１
【補正方法】変更
【補正の内容】
【０００１】
【発明の属する技術分野】
本発明は、画像処理方法、画像処理装置、画像処理システム、及びコンピュータ読み取り可能な記憶媒体に関し、特に、階調変換等の画像処理又は画像判別等のために画像（例えば放射線撮影により得られた画像）の特徴量を抽出するために用いて好適なものである。
【手続補正４】
【補正対象書類名】明細書
【補正対象項目名】００１１
【補正方法】変更
【補正の内容】
【００１１】
そこで、本発明は、上記の欠点を除去するために成されたもので、対象画像からその特徴量を適切に抽出することができるようにすることを目的とする。
【手続補正５】
【補正対象書類名】明細書
【補正対象項目名】００１２
【補正方法】変更
【補正の内容】
【００１２】
【課題を解決するための手段】
斯かる目的下において、本発明の画像処理方法は、特定領域にX線を照射して、前記特定領域を含む所定範囲の画像データを処理する画像処理方法において、前記画像データから照射野領域に対応する画像データ領域を抽出する照射野認識工程と、当該画像データ領域における一辺と前記画像データにおける一辺との角度を検出する検出工程と、前記角度に基づいて、前記画像データ領域から特徴量を算出する特徴抽出工程とを備えることを特徴とする。
【手続補正６】
【補正対象書類名】明細書
【補正対象項目名】００１３
【補正方法】変更
【補正の内容】
【００１３】
本発明によるコンピュータ読み取り可能な記憶媒体は、Ｘ線を被写体に照射するＸ線発生回路と、前記被写体を透過したＸ線を電気信号に変換する２次元Ｘ線センサと、前記電気信号を画像データに変換する処理回路とを備える画像処理装置において、コンピュータを、前記画像データから照射野領域に対応する画像領域を抽出する照射野認識手段と、当該画像領域における一辺と前記画像における一辺との角度を検出する検出手段と、前記角度に基づいて、前記画像領域から特徴量を算出する特徴抽出手段として機能させるためのコンピュータプログラムを記憶したことを特徴とする。
【手続補正７】
【補正対象書類名】明細書
【補正対象項目名】００１４
【補正方法】変更
【補正の内容】
【００１４】
本発明による画像処理装置は、Ｘ線を被写体に照射するＸ線発生回路と、前記被写体を透過したＸ線を画像信号に変換する２次元Ｘ線センサと、前記画像信号を画像データに変換する処理回路と、前記画像データから照射野領域に対応する画像領域を抽出する照射野認識手段と、当該画像領域における一辺と前記画像における一辺との角度を検出する検出手段と、前記角度に基づいて、前記画像領域から特徴量を算出する特徴抽出手段とを備えることを特徴とする。
【手続補正８】
【補正対象書類名】明細書
【補正対象項目名】００１５
【補正方法】変更
【補正の内容】
【００１５】
本発明の画像処理システムは、複数の機器が互いに通信可能に接続されてなる画像処理システムであって、前記複数の機器のうち少なくとも１つの機器は、請求項１〜９の何れか１項に記載の画像処理方法の機能を有することを特徴とする。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００６４
【補正方法】変更
【補正の内容】
【００６４】
【発明の効果】
以上説明したように本発明によれば、特徴量の抽出対象となる画像からその特徴量を適切に抽出することができる。